(57)【要約】  無線通信ネットワークにおいて無線デバイスによりセルを選択するための方法が開示される。方法は、ネットワークノードに関連付けられているセルから信号を受信することと、セルからの信号がセル選択基準を満たすかどうかを決定することであって、セル選択基準は、セル選択基準に対する補償を制御するパラメータに少なくとも部分的に基づいており、補償は無線デバイスの電力クラスに関連付けられている、決定することと、セルからの信号がセル選択基準を満たすという決定に応答してセルを選択することとを備える。この方法を実行するための無線デバイスもまた開示される。【選択図】図１０
2019536307.tif 000002
【特許請求の範囲】
【請求項１】
無線通信ネットワークにおいて無線デバイスによりセルを選択するための方法であって、
ネットワークノードに関連付けられているセルから信号を受信することと、
前記セルからの前記信号がセル選択基準を満たすかどうかを決定することであって、前記セル選択基準は、前記セル選択基準に対する補償を制御するパラメータに少なくとも部分的に基づいており、前記補償は前記無線デバイスの電力クラスに関連付けられている、決定することと、
前記セルからの前記信号が前記セル選択基準を満たすという決定に応答して前記セルを選択することとを備える方法。
【請求項２】
受信された前記信号は参照信号である、請求項１に記載の方法。
【請求項３】
前記信号が前記セル選択基準を満たすかどうかを決定する際に前記参照信号の受信電力を測定することをさらに備える、請求項２に記載の方法。
【請求項４】
前記補償を制御する前記パラメータは、システム情報ブロック（ＳＩＢ）で受信される、請求項１から３のいずれか一項に記載の方法。
【請求項５】
前記パラメータは、前記無線デバイスが前記セルにアクセスすることを許可するか、または前記無線デバイスが前記セルにアクセスすることを拒否するように前記セル選択基準をシフトするオフセット値である、請求項１から４のいずれか一項に記載の方法。
【請求項６】
前記補償は、Ｐｃｏｍｐｅｎｓａｔｉｏｎと称され、
Ｐｃｏｍｐｅｎｓａｔｉｏｎ＝ｍａｘ（Ｐ−ｍａｘ−（ＰＰｏｗｅｒＣｌａｓｓ−ＬＰＣ−Ｏｆｆｓｅｔ）、０）を備え、
ここで、Ｐ−ｍａｘはセル内の最大アップリンク送信電力であり、ＰＰｏｗｅｒＣｌａｓｓは前記無線デバイスの電力クラスに従う前記無線デバイスの最大無線周波数（ＲＦ）出力電力であり、ＬＣＰ−ｏｆｆｓｅｔは前記オフセット値である、請求項５に記載の方法。
【請求項７】
前記パラメータは、最大許容ＵＥ電力と前記無線デバイスの出力電力の関数を備える、請求項１から６のいずれか一項に記載の方法。
【請求項８】
前記関数は線形関数である、請求項７に記載の方法。
【請求項９】
前記線形関数は、前記無線デバイスの前記電力クラスにさらに依存する、請求項８に記載の方法。
【請求項１０】
前記無線デバイスに関連付けられている最大出力電力能力を決定することをさらに備える、請求項１に記載の方法。
【請求項１１】
前記セル選択基準は、前記無線デバイスに関連付けられている前記最大出力電力能力に少なくとも部分的にさらに基づいている、請求項１０に記載の方法。
【請求項１２】
無線通信ネットワークにおいてセルアクセスを制御するための方法であって、
セル選択基準に対する補償を制御するパラメータを決定することであって、前記補償は無線デバイスの電力クラスに関連付けられている、決定することと、
前記ネットワークノードが関連付けられているセルに信号を送信することであって、前記信号は決定された前記パラメータを備える、送信することとを備える方法。
【請求項１３】
参照信号を前記セルに送信することをさらに備える、請求項１２に記載の方法。
【請求項１４】
前記信号は、決定された前記パラメータを搬送するシステム情報ブロック（ＳＩＢ）を備える、請求項１２に記載の方法。
【請求項１５】
前記信号は、前記セル選択基準に関連する追加のパラメータを備える、請求項１２に記載の方法。
【請求項１６】
前記パラメータを決定することは、カバレッジ拡張と前記カバレッジ拡張が必要とするネットワークリソースの量との間のトレードオフに基づいて前記パラメータを決定することを備える、請求項１２から１５のいずれか一項に記載の方法。
【請求項１７】
前記パラメータは、前記無線デバイスが前記セルにアクセスすることを許可するか、または前記無線デバイスが前記セルにアクセスすることを拒否するように前記セル選択基準をシフトするオフセット値である、請求項１２から１６のいずれか一項に記載の方法。
【請求項１８】
前記補償は、Ｐｃｏｍｐｅｎｓａｔｉｏｎと称され、
Ｐｃｏｍｐｅｎｓａｔｉｏｎ＝ｍａｘ（Ｐ−ｍａｘ−（ＰＰｏｗｅｒＣｌａｓｓ−ＬＰＣ−Ｏｆｆｓｅｔ）、０）を備え、
ここで、Ｐ−ｍａｘはセル内の最大アップリンク送信電力であり、ＰＰｏｗｅｒＣｌａｓｓは前記無線デバイスの電力クラスに従う前記無線デバイスの最大無線周波数（ＲＦ）出力電力であり、ＬＣＰ−ｏｆｆｓｅｔは前記オフセット値である、請求項１７に記載の方法。
【請求項１９】
前記パラメータは、最大許容ＵＥ電力と前記無線デバイスの出力電力の関数を備える、請求項１２に記載の方法。
【請求項２０】
前記関数は線形関数である、請求項１９に記載の方法。
【請求項２１】
前記線形関数は、前記無線デバイスの前記電力クラスにさらに依存する、請求項２０に記載の方法。
【請求項２２】
前記セル選択基準は、前記無線デバイスに関連付けられている最大出力電力能力に少なくとも部分的にさらに基づいている、請求項１２に記載の方法。
【請求項２３】
前記セルからの前記信号が前記セル選択基準を満たすという決定に応答して、前記セルとの接続を確立するよう求める接続要求を受信することをさらに備える、請求項１２から２２のいずれか一項に記載の方法。
【請求項２４】
無線通信ネットワークにおいてセルを選択するための無線デバイスであって、
プロセッサと、前記プロセッサに接続されたメモリとを備え、前記メモリは、実行されるときに前記プロセッサに、
ネットワークノードに関連付けられているセルから信号を受信することと、
前記セルからの前記信号がセル選択基準を満たすかどうかを決定することであって、前記セル選択基準は、前記セル選択基準に対する補償を制御するパラメータに少なくとも部分的に基づいており、前記補償は前記無線デバイスの電力クラスに関連付けられている、決定することと、
前記セルからの前記信号が前記セル選択基準を満たすという決定に応答して前記セルを選択することとを行なわせる命令を備える、無線デバイス。
【請求項２５】
受信された前記信号は参照信号である、請求項２４に記載の無線デバイス。
【請求項２６】
前記プロセッサは、前記参照信号の受信電力を測定するようにさらに設定されている、請求項２５に記載の無線デバイス。
【請求項２７】
前記プロセッサは、前記補償を制御する前記パラメータを搬送するシステム情報ブロック（ＳＩＢ）を受信するようにさらに設定されている、請求項２４から２６のいずれか一項に記載の無線デバイス。
【請求項２８】
前記パラメータは、前記無線デバイスが前記セルにアクセスすることを許可するか、または前記無線デバイスが前記セルにアクセスすることを拒否するように前記セル選択基準をシフトするオフセット値である、請求項２４から２７のいずれか一項に記載の無線デバイス。
【請求項２９】
前記補償は、Ｐｃｏｍｐｅｎｓａｔｉｏｎと称され、
Ｐｃｏｍｐｅｎｓａｔｉｏｎ＝ｍａｘ（Ｐ−ｍａｘ−（ＰＰｏｗｅｒＣｌａｓｓ−ＬＰＣ−Ｏｆｆｓｅｔ）、０）を備え、
ここで、Ｐ−ｍａｘはセル内の前記最大アップリンク送信電力であり、ＰＰｏｗｅｒＣｌａｓｓは前記無線デバイスの電力クラスに従う前記無線デバイスの前記最大無線周波数（ＲＦ）出力電力であり、ＬＣＰ−ｏｆｆｓｅｔは前記オフセット値である、請求項２８に記載の無線デバイス。
【請求項３０】
前記パラメータは、最大許容ＵＥ電力と前記無線デバイスの出力電力の関数を備える、請求項２４から２７のいずれか一項に記載の無線デバイス。
【請求項３１】
前記関数は線形関数である、請求項３０に記載の無線デバイス。
【請求項３２】
前記線形関数は、前記無線デバイスの前記電力クラスにさらに依存する、請求項３１に記載の無線デバイス。
【請求項３３】
前記プロセッサは、前記無線デバイスに関連付けられている最大出力電力能力を決定するようにさらに設定されている、請求項２４に記載の無線デバイス。
【請求項３４】
無線通信ネットワークにおいてセルアクセスを制御するためのネットワークノードであって、
プロセッサと、前記プロセッサに接続されたメモリとを備え、前記メモリは、実行されるときに前記プロセッサに、
セル選択基準に対する補償を制御するパラメータを決定することであって、前記補償は無線デバイスの電力クラスに関連付けられている、決定することと、
前記ネットワークノードが関連付けられているセルに信号を送信することであって、前記信号は決定された前記パラメータを備える、送信することとを行なわせる命令を備える、ネットワークノード。
【請求項３５】
前記プロセッサは、参照信号を送信するようにさらに設定されている、請求項３４に記載のネットワークノード。
【請求項３６】
前記信号は、決定された前記パラメータを提供するシステム情報ブロック（ＳＩＢ）を備える、請求項３４に記載のネットワークノード。
【請求項３７】
前記信号は、前記セル選択基準に関連する追加のパラメータを備える、請求項３４に記載のネットワークノード。
【請求項３８】
前記プロセッサは、カバレッジ拡張と前記カバレッジ拡張が必要とするネットワークリソースの量との間のトレードオフに基づいて前記パラメータを決定するように設定されている、請求項３４から３７のいずれか一項に記載のネットワークノード。
【請求項３９】
前記パラメータは、前記無線デバイスが前記セルにアクセスすることを許可するか、または前記無線デバイスが前記セルにアクセスすることを拒否するように前記セル選択基準をシフトするオフセット値である、請求項３４から３８のいずれか一項に記載のネットワークノード。
【請求項４０】
前記補償は、Ｐｃｏｍｐｅｎｓａｔｉｏｎと称され、
Ｐｃｏｍｐｅｎｓａｔｉｏｎ＝ｍａｘ（Ｐ−ｍａｘ−（ＰＰｏｗｅｒＣｌａｓｓ−ＬＰＣ−Ｏｆｆｓｅｔ）、０）を備え、
ここで、Ｐ−ｍａｘはセル内の前記最大アップリンク送信電力であり、ＰＰｏｗｅｒＣｌａｓｓは前記無線デバイスの電力クラスに従う前記無線デバイスの前記最大無線周波数（ＲＦ）出力電力であり、ＬＣＰ−ｏｆｆｓｅｔは前記オフセット値である、請求項３９に記載のネットワークノード。
【請求項４１】
前記パラメータは、最大許容ＵＥ電力と前記無線デバイスの出力電力の関数を備える、請求項３４に記載のネットワークノード。
【請求項４２】
前記関数は線形関数である、請求項４１に記載のネットワークノード。
【請求項４３】
前記線形関数は、前記無線デバイスの前記電力クラスにさらに依存する、請求項４２に記載のネットワークノード。
【請求項４４】
前記セル選択基準は、前記無線デバイスに関連付けられている最大出力電力能力に少なくとも部分的にさらに基づいている、請求項３４に記載のネットワークノード。
【請求項４５】
前記プロセッサは、前記セルからの前記信号が前記セル選択基準を満たすという決定に応答して、前記セルとの接続を確立するよう求める接続要求を受信するようにさらに設定されている、請求項３４から４４のいずれか一項に記載のネットワークノード。
【発明の詳細な説明】
【技術分野】
【０００１】
関連出願の相互参照
本仮特許出願は、参照により内容全体を本願に援用する、２０１６年９月３０日に出願した、Ｍａｒｔｅｎ  Ｓｕｎｄｂｅｒｇ、Ｏｌｏｆ  Ｌｉｂｅｒｇ、およびＭａｒｔｉｎ  ｖａｎ  ｄｅｒ  Ｚｅｅによる、「Ｎｅｔｗｏｒｋ  ｃａｐａｃｉｔｙ  ｄｅｐｅｎｄｅｎｔ  ｃｅｌｌ  ｓｕｉｔａｂｉｌｉｔｙ  ｃｒｉｔｅｒｉｏｎ」と題する先行米国仮特許出願第６２／４０２０６５号明細書に基づく優先権を主張するものである。
【０００２】
本発明の開示の特定の実施形態は、概して、無線通信に関し、より詳細には、ネットワーク容量依存のセル適合性基準に関する。
【背景技術】
【０００３】
セルラー技術において、重要な側面は、システムのデバイスを適切なセルに接続させることである。セルが適切ではない場合、デバイスは、そうでなければ必要とされる以上に高い干渉レベルを生じることになり、ネットワークは遠近の混乱のような、重篤な問題を経験することがある。したがって、デバイスがモビリティに適したセルを選択することが重要である。
【０００４】
セル選択基準は、セルがキャンプオンに適切であるかどうかを決定し、ユーザ機器（ＵＥ）がセルを選択することを許可されるかどうかに関する最小要件を課す。加えて、ＵＥは、最善（たとえば、最強）のセルを継続的に再選択することが求められる。例として、最善（たとえば、最強）のセルは通常、ＵＥが移動しているときに変化する。したがって、別のセルが「より良好」になる場合、ＵＥはセル再選択を行なう。最善のセルが適切ではない場合、ＵＥは、このセルを再選択することは許可されない。
【０００５】
セル選択およびセル再選択は、事前規定済みのルール、１つまたは複数の事前規定済みのパラメータ、および１つまたは複数のネットワークにより設定されたパラメータ（たとえば、信号ヒステリシス、時間ヒステリシスなど）に基づいて自律的に無線デバイスによって実行される。セル再選択は、アイドルモード中、または（接続モードまたはアクティブモードと称されることもある）デバイスがネットワークに接続されているときのいずれにおいても実行されうる。セルの選択および再選択の手順は、より一般的には、ＵＥモビリティ手順の一部である。
【０００６】
セル選択およびセル再選択は、以下のような、１つまたは複数の信号測定関連の基準に基づく必要がある。
−  合計受信信号レベル推定（受信信号強度指示（ＲＳＳＩ）とも称される）
−  求められる信号レベル推定
−  品質ベースの推定（つまり、何らかの等化器統計に関する品質）
−  搬送波対干渉比（Ｃ／Ｉ）、受信信号／ＲＳＳＩ、信号対雑音比（ＳＮＲ）、または信号対干渉雑音比（ＳＩＮＲ）推定
【０００７】
また、デバイスの出力電力レベルのようなその他の要因は通常、アップリンク（ＵＬ）およびダウンリンク（ＤＬ）が共に機能することを保証するために考慮される。たとえば、デバイスがセルに同期して、ＤＬに関する情報を取得することができる場合には、セルにアクセスを許可する理由はないが、デバイスがＵＬで送信する場合には、ネットワークがデバイスを「聴取」する方法はない。
【０００８】
セルラー技術のもう１つの側面は、カバレッジ拡張である。第３世代パートナーシッププロジェクト（３ＧＰＰ）リリース１３では、マシン間接続を提供することが意図された、狭帯域モノのインターネット（ＮＢ−ＩｏＴ）と称する新しい無線アクセス技術を導入した。同リリースにおいて、帯域幅低減低複雑度（ＢＬ：ｂａｎｄｗｉｄｔｈ−ｒｅｄｕｃｅｄ  ｌｏｗ−ｃｏｍｐｌｅｘｉｔｙ）ＵＥタイプを含むマシン型通信（ＭＴＣ）を対象とするＬＴＥ機能強化が、指定された（ＵＥカテゴリＭ１）。さらに、Ｇｌｏｂａｌ  Ｓｙｓｔｅｍ  ｆｏｒ  Ｍｏｂｉｌｅ  ｃｏｍｍｕｎｉｃａｔｉｏｎ（ＧＳＭ）のために、Ｅｘｔｅｎｄｅｄ  Ｃｏｖｅｒａｇｅ  ＧＳＭ  Ｉｎｔｅｒｎｅｔ  ｏｆ  Ｔｈｉｎｇｓ（ＥＣ−ＧＳＭ−ＩｏＴ）という名称の新しいソリューションが、モノのインターネット（ＩｏＴ）タイプのトラフィックにサーブする目的で指定された。
【０００９】
これらの３つのソリューションに共通するのは、これらのソリューションが、拡張無線カバレッジ範囲、長いバッテリ寿命、低い複雑性、および短いデータ転送に対する要件により特徴付けられているサービスに応じるために設計されたことである。拡張カバレッジを容易にするために３つのソリューションすべてに使用される主要な技術は、繰り返しベースの送信方式であり、これはまた通例、ＥＣ−ＧＳＭ−ＩｏＴ  ３ＧＰＰ仕様においてブラインド繰り返し、またはＮＢ−ＩｏＴ  ３ＧＰＰ仕様において単に繰り返しと称される。
【発明の概要】
【００１０】
同じシステムにおける異なる出力電力クラスを使用して、デバイスの間の不均一に分配されたリソース使用に関連する前述の潜在的な問題に対処するため、本開示の特定の実施形態は、セル適合性基準とＵＥの最大出力電力能力の非線形依存関係を得るために、セル適合性基準を再規定する。
【００１１】
本開示の特定の実施形態は、１つまたは複数の技術的利点を提供することができる。たとえば、特定の実施形態は、無線リソースにアクセスするために検出を使用するデバイスのよりエネルギー効率の高い操作を提供することができ、１つのユーザのサービス／トラフィック要件（たとえば、短いスケジューリング期間が求められる）は、同じリソースを割り当てられているがより緩いサービス／トラフィック要件を有するその他のＵＥに重要な影響をもたらす可能性がある。特定の実施態様は、これらの利点の全部、一部を有するか、または有していない場合がある。その他の利点は、当業者には明らかとなろう。
【００１２】
第１の態様によれば、無線通信ネットワークにおいて無線デバイスによりセルを選択するための方法が提供される。方法は、ネットワークノードに関連付けられているセルから信号を受信することと、セルからの信号がセル選択基準を満たすかどうかを決定することであって、セル選択基準は、セル選択基準に対する補償を制御するパラメータに少なくとも部分的に基づいており、補償は無線デバイスの電力クラスに関連付けられている、決定することと、セルからの信号がセル選択基準を満たすという決定に応答してセルを選択することとを備える。
【００１３】
第２の態様によれば、無線通信ネットワークにおいてセルを選択するための無線デバイスが提供される。無線デバイスは、プロセッサと、プロセッサに接続されたメモリとを備え、メモリは、実行されるときにプロセッサに、ネットワークノードに関連付けられているセルから信号を受信することと、セルからの信号がセル選択基準を満たすかどうかを決定することであって、セル選択基準は、セル選択基準に対する補償を制御するパラメータに少なくとも部分的に基づいており、補償は無線デバイスの電力クラスに関連付けられている、決定することと、セルからの信号がセル選択基準を満たすという決定に応答してセルを選択することとを行なわせる命令を備える。
【００１４】
第３の態様によれば、無線通信ネットワークにおいてセルアクセスを制御するための方法が提供される。方法は、セル選択基準に対する補償を制御するパラメータを決定することであって、補償は無線デバイスの電力クラスに関連付けられている、決定することと、ネットワークノードが関連付けられているセルに信号を送信することであって、信号は決定されたパラメータを備える、送信することとを備える。
【００１５】
第４の態様によれば、無線通信ネットワークにおいてセルアクセスを制御するためのネットワークノードが提供される。ネットワークノードは、プロセッサと、プロセッサに接続されたメモリとを備え、メモリは、実行されるときにプロセッサに、セル選択基準に対する補償を制御するパラメータを決定することであって、補償は無線デバイスの電力クラスに関連付けられている、決定することと、ネットワークノードが関連付けられているセルに信号を送信することであって、信号は決定されたパラメータを備える、送信することとを行なわせる命令を備える。
【００１６】
本発明の上記ならびにその他の態様、利点、および特徴は、添付の図面のみを参照して一例として与えられる、例示的な実施形態の以下の非制限的な説明を読むことでさらに明らかとなろう。
【００１７】
本発明の実施形態、ならびに付随する利点および特徴のさらなる完全な理解は、添付の図面と併せて検討されるとき、以下の詳細な説明を参照することによってより容易に理解されよう。
【図面の簡単な説明】
【００１８】
【図１】ＩｏＴの結合損失のネットワーク分配を示すグラフである。
【図２】１０ｄＢ低い出力電力を伴うＩｏＴの結合損失のネットワーク分配を示すグラフである。
【図３】無線通信ネットワークを示す概略図である。
【図４】実施形態による無線デバイスを示す概略図である。
【図５】実施形態による、ネットワークノードを示す概略図である。
【図６】実施形態による、無線デバイスにおいて使用する方法を示す流れ図である。
【図７】実施形態による、ネットワークノードにおいて使用する方法を示す流れ図である。
【図８】実施形態による、モジュールで設定された無線デバイスを示すブロック図である。
【図９】実施形態による、モジュールで設定された、無線アクセスノードのような、ネットワークノードを示すブロック図である。
【図１０】実施形態による、無線通信ネットワークにおいて無線デバイスによりセルを選択するための方法を示す流れ図である。
【図１１】実施形態による、無線通信ネットワークにおいてセルアクセスを制御するための方法を示す流れ図である。
【発明を実施するための形態】
【００１９】
特定の問題が、以前提案されているモノのインターネットのネットワークに関して想定されうる。たとえば、ＩｏＴデバイスの数は、今後長年にわたって飛躍的に増加すると予想されている。ＩｏＴデバイスは通常、極めて低いユーザ平均収益（ＡＲＰＵ）を伴うＩｏＴの超ローエンドセグメントに属する。したがって、電力は、オペレータにとって、デバイスを配備することで利益を上げる必要のある数値である。しかし、ネットワーク内に存在するデバイスが増えれば、それに応じて費やされる容量も増大し、ハイエンドのユーザに悪影響をもたらすおそれもある。この上にさらに、超ローエンドのデバイスは多くの場合、無線信号の到達が困難なリモートロケーションに配置されるということを加えて、前述の繰り返しが、ネットワーク通信を確立するために必要とされ、これによりさらに多くの容量が費やされる。たとえばＮＢ−ＩｏＴのような、ローエンドのＩｏＴデバイスのみが動作すると予想されるネットワークにおいてであっても、ハイエンドのデバイスとのリソースをめぐる競争はないが、より厳しいカバレッジ条件にあるユーザは、不釣り合いな量のリソースを占有することになり、容量を瞬く間に枯渇させてしまうかもしれない。
【００２０】
図１は、ＩｏＴネットワークの３ＧＰＰモデルとして使用されうる、ＩｏＴの結合損失のネットワーク分配の例を示す。ｘ軸の結合損失（ＣＬ）という用語は、カバレッジの測定と見なされてもよく、ＣＬが高くなれば、それに応じてデバイスの入るカバレッジも劣化する。前述のシステムはすべて、３ＧＰＰにより合意されて１４４ｄＢ  ＣＬであると見なされうる、ＧＳＭよりも２０ｄＢ優れたカバレッジに到達するために開発された。したがって、２０ｄＢの改善は、１６４ｄＢ  ＣＬで動作できることを意味する。図１において、ＣＬ  １６４ｄＢ、１５４ｄＢ、および１４４ｄＢが、黒破線を使用して示される。
【００２１】
ＣＬ１４４〜１５４ｄＢに配置される場合、デバイスに到達するために特定回数の繰り返しが必要とされると仮定すれば、第２の回数のブラインド繰り返しが、ＣＬ１５４〜１６４ｄＢにおいて必要とされるたとえば１５４〜１６４ｄＢの領域の場合、各ユーザは、１６４ｄＢ  ＣＬの場合に合わせたブラインド繰り返しを使用する必要がある、つまりユーザのうちのいくつかは必要以上のリソースを使用することになる。このことは、次善最適システム実施のように思われる場合もあるが、実施の複雑性とリソース使用両との間のトレードオフと見なされるべきである。確かに、この手法はまた、ＮＢ−ＩｏＴランダムアクセス手順に対しても行なわれ、ここでＵＥには、推定される結合損失に基づいて、ＮＷにサポートされる、繰り返しレベルによって、３つのうちの１つを選択することが求められる（ＴＳ  ３６．２１３を参照）。代替策は、システムが、任意の数のブラインド繰り返しをサポートすることであり、この場合、複雑性は増大するが、リソース使用量は減少する。
【００２２】
１５４〜１６４ｄＢ  ＣＬの間のユーザについて、１００の繰り返しが必要とされ（１０＊ｌｏｇ１０（１００）＝２０ｄＢ）、領域１４４〜１５４ｄＢ  ＣＬについては、１０の繰り返しが必要とされる（１０＊ｌｏｇ１０（１０）＝１０ｄＢ）と仮定する。
【００２３】
各カバレッジビンのユーザの比率は、累積分布関数（ＣＤＦ）から大まかに読み取られてもよい（図１を参照）。
−  １６４−１５４ｄＢ：  ＵＥ全体の４％が１００の繰り返しを必要とする
−  １５４−１４４ｄＢ：  ＵＥ全体の１４％が１０の繰り返しを必要とする
−  ≦１４４ｄＢ：  ＵＥ全体の８２％が繰り返しを必要としない
【００２４】
したがって、拡張カバレッジ内のユーザは、ＧＳＭ（＞１４４ｄＢ）と比較して、ネットワークリソースのおよそ８７％（（０．０４＊１００＋０．１４＊１０）／（０．０４＊１００＋０．１４＊１０＋０．８２＊１））を占有する。
【００２５】
これは、リソース使用量に関しては均衡のとれたネットワークではなく、低出力電力クラスのＵＥがネットワークにアクセスすることを許可する場合には、さらになお悪化することになる。低出力電力クラスはすでに、ＥＣ−ＧＳＭ−ＩｏＴ仕様によりサポートされており（３ＧＰＰ  ＴＳ  ４５．００５  Ｖ１３．１．０を参照）、継続中の３ＧＰＰリリース１４作業の範囲でＮＢ−ＩｏＴについて説明されている（ＰＲ−１６１９０１を参照）。許可される繰り返し回数に関して高出力電力クラスと同じ仕様（通常、前述の技術について想定される）を採用する場合、さらに多くのユーザが最終的にカバレッジ不足になり、さらに多くのユーザが繰り返しを使用することになる。
【００２６】
たとえば、現在におけるよりもおよそ１０ｄＢ低い出力電力をサポートする新しいＮＢ−ＩｏＴ低電力ＵＥが導入される場合、これは１５４ｄＢを超えるＣＬレンジのＵＥにカバレッジ不足を強いることになり、カバレッジ内のＵＥによって必要とされる繰り返し回数が、ほぼ以下のように増大する。
−  １６４〜１５４ｄＢ：ＵＥ全体の４％がカバレッジ不足に陥る
−  １５４〜１４４ｄＢ：ＵＥ全体の１４％が１００のブラインド繰り返しを必要とする
−  １４４〜１３４ｄＢ：ＵＥ全体の３０％が１０のブラインド繰り返しを必要とする
−  ≦１３４ｄＢ：ＵＥ全体の５２％がブラインド繰り返しを必要としない
【００２７】
この場合、ブラインド繰り返しを使用しているユーザは、ネットワークリソースのおよそ９７％を占有する。
【００２８】
図２は、１０ｄＢ低い出力電力を伴うＩｏＴの結合損失のネットワーク分配による、この事例を示す。
【００２９】
同じシステムにおける異なる出力電力クラスを使用して、デバイスの間の不均一に分配されたリソース使用に関連する前述の潜在的な問題に対処するため、本開示の特定の実施形態は、セル適合性基準とＵＥの最大出力電力能力の非線形依存関係を得るために、セル適合性基準を再規定する。
【００３０】
「セル適合性基準」および「セル選択基準」という用語は、同一の事項を示し、同義的に使用されてもよいことに留意されたい。セル適合性基準とは、セルはユーザが使用するのに適しているかどうかを決定するために使用される基準を意味する。たとえば、セルがセル適合性基準を満たす場合、セルは、ユーザデバイスがこのセルを選択してアクセスするのに適している。
【００３１】
通常、線形依存関係は、たとえば、ＵＥがセルにアクセスするために、１０ｄＢ高い出力電力レベルを伴うＵＥと比較して、１０ｄＢ強いダウンリンク信号レベルを経験する必要がある場合、セル適合性基準にすでにある。低電力のＵＥは、その最弱のリンク、つまりアップリンクに基づいて、セルを選択する必要がある。ＵＥの大多数（たとえば、２３ｄＢｍの電力クラス内のＵＥ）について、ＵＬ／ＤＬは均衡がとれていると仮定される。しかし、これは、ＵＬとＤＬの前述の均衡を考慮に入れるものであり、容量の問題に何ら関連性を持たない。
【００３２】
一般的に、セル適合性基準に対する非線形成分は、電力クラス固有のシフトにより実施されてもよい。
セル適合性基準＝Ｃ＋Ｐｓｈｉｆｔ      ［１］
【００３３】
ここで、Ｃは、現在のセル適合性基準であり、Ｐｓｈｉｆｔは、適合性基準の電力クラス固有のシフトである。
【００３４】
セルが適切であるためには、ＮＢ−ＩｏＴにおいてＳｒｘｌｅｖおよびＳｑｕａｌが共にゼロよりも大きくなくてはならない。言い換えれば、セル選択基準Ｓ（または同等にＣ）は、以下の場合に満たされる（３ＧＰＰ  ＴＳ３６．３０４  Ｖ１３．２．０、セクション５．２．３．２ａを参照）。
【００３５】
Ｓｒｘｌｅｖ＞０かつＳｑｕａｌ＞０
ただし、Ｓｒｘｌｅｖ＝Ｑｒｘｌｅｖｍｅａｓ−Ｑｒｘｌｅｖｍｉｎ−Ｐｃｏｍｐｅｎｓａｔｉｏｎ−Ｑｏｆｆｓｅｔｔｅｍｐ
Ｓｑｕａｌ＝Ｑｑｕａｌｍｅａｓ−Ｑｑｕａｌｍｉｎ−Ｑｏｆｆｓｅｔｔｅｍｐ
【００３６】
各項は以下のとおりである。
2019536307.tif 000003
【００３７】
ＵＥがｍｕｌｔｉＮＳ−Ｐｍａｘ−ｒ１３をサポートし、ａｄｄｉｔｉｏｎａｌＰｍａｘがＳＩＢ１−ＮＢ、ＳＩＢ３−ＮＢ、またはＳＩＢ５−ＮＢでブロードキャストされる場合、ＵＥは、セルのＰ−ｍａｘではなくこのａｄｄｉｔｉｏｎａｌＰｍａｘを使用し、
【００３８】
Ｐｃｏｍｐｅｎｓａｔｉｏｎ＝ｍａｘ（Ｐ−ｍａｘ−ＰｐｏｗｅｒＣｌａｓｓ、０）−（ｍｉｎ（ａｄｄｉｔｉｏｎａｌＰｍａｘ、ＰｐｏｗｅｒＣｌａｓｓ）−ｍｉｎ（Ｐ−ｍａｘ、ＰｐｏｗｅｒＣｌａｓｓ）
【００３９】
それ以外の場合、Ｐｃｏｍｐｅｎｓａｔｉｏｎ＝ｍａｘ（Ｐ−ｍａｘ−ＰＰｏｗｅｒＣｌａｓｓ、０）
【００４０】
ここで、Ｐ−ｍａｘはセル内の最大アップリンク送信電力であり、ＰｐｏｗｅｒＣｌａｓｓはＵＥ電力クラスに従う最大出力電力である（３ＧＰＰ  ＴＳ３６．１０１を参照）。Ｐ−ｍａｘはまた、無線デバイスの最大無線周波数（ＲＦ）出力電力に対応してもよい。
【００４１】
３Ｇｐｐ  ＴＳ３６．３０４  Ｖ１３．２．０、セクション５．２．３．２ａにおける表記と比較すると、Ｐ−ｍａｘはＰＥＭＡＸ１に相当し、ａｄｄｉｔｉｏｎａｌＰｍａｘはＰＥＭＡＸ２に相当することに留意されたい。
【００４２】
Ｐｃｏｍｐｅｎｓａｔｉｏｎ係数は、同じ電力クラス内のすべてのＵＥについて固定の値であることを理解されたい。実際に、Ｐｃｏｍｐｅｎｓａｔｉｏｎ係数は、ＵＥの電力クラスを補償するかまたは考慮するために使用される。たとえば、ＩｏＴデバイスは、ＵＥの低電力クラスの一部である。
【００４３】
この補償係数は、（上記で示されるように）以下のように記述されてもよい。
Ｐｃｏｍｐｅｎｓａｔｉｏｎ＝ｍａｘ（Ｐ−ｍａｘ−ＰＰｏｗｅｒＣｌａｓｓ、０）    ［２］
【００４４】
式２に示されるように、Ｐｃｏｍｐｅｎｓａｔｉｏｎ係数は、セルのＰ−ｍａｘとの差で低電力クラスのＵＥにペナルティを科す。たとえば、Ｐ−ｍａｘが２３ｄＢｍに設定される場合、１４ｄＢｍのＵＥは、式２のＰｃｏｍｐｅｎｓａｔｉｏｎ係数により与えられる−９ｄＢのペナルティを有する。
【００４５】
しかし、低電力クラス内のＵＥのセル適合性を「上昇させる」かまたは「降格させる」ことができるように、このペナルティ／補償がより柔軟となりうる（したがって設定可能である）場合、これは有利となる。たとえば、補償により多くの制御を有することにより、ネットワークは、低電力クラスの特定のデバイスが、繰り返しをデバイスが使用する必要がある場合の結合損失でシステム／セルにアクセスすることを拒否することができる。そのようなものとして、ネットワークノードまたは基地局は、低電力ＵＥが享受できるカバレッジ拡張とこれらのカバレッジ拡張が必要とするネットワークリソースの量との間のトレードオフを制御することができるようになる。
【００４６】
さらに具体的には、実施形態において、補償の制御は、非線形成分として実施されてもよい。例示の実施形態として、制御は、セル適合性基準の式２のＰｃｏｍｐｅｎｓａｔｉｏｎ係数内の、低電力クラス（ＬＰＣ）オフセットと称される、設定可能パラメータにより実施されてもよい。たとえば、ＬＰＣオフセットは、以下の式で太字のパラメータＬＰＣ−ｏｆｆｓｅｔにより示されるように、Ｐｃｏｍｐｅｎｓａｔｉｏｎ式に組み入れられてもよい。
Ｐｃｏｍｐｅｎｓａｔｉｏｎ＝ｍａｘ（Ｐ−ｍａｘ−（ＰＰｏｗｅｒＣｌａｓｓ−ＬＰＣ−Ｏｆｆｓｅｔ）、０）    ［３］
【００４７】
このパラメータ（たとえば、オフセットパラメータ）は、Ｐｃｏｍｐｅｎｓａｔｉｏｎ係数により提供される、ＵＥの電力クラスに関連付けられている補償を制御することができるようにする。そのようなものとして、これはネットワークが、特定の低電力クラスのＵＥがセルにキャンプオンすること、（ひいては、セルにアクセスすること、およびネットワークリソースを消費すること）をいつ許可するかを決定するためのさらなる柔軟性をもたらすことができる。広義では、このパラメータは、ＵＥの電力クラスに関連付けられている調整を制御することができるようにする。たとえば、パラメータＬＰＣ−Ｏｆｆｓｅｔにより提供される、このオフセットパラメータは、正および負のオフセットを許容する、つまり低電力クラスのＵＥが多かれ少なかれネットワークリソースを消費できるようにする。そのようなものとして、ＬＰＣ−Ｏｆｆｓｅｔオフセットは、以下に示されるような異なる例示の値を有するようにオフセットパラメータを変えて設定することによって、低電力クラスのＵＥの補償を制御する。
ＬＰＣ−Ｏｆｆｓｅｔ：：＝ＥＮＵＭＥＲＡＴＥＤ｛ｄＢ−６、ｄＢ−３、ｄＢ０、ｄＢ３、ｄＢ６、ｄＢ１０、ｄＢ１５、ｄＢ２０｝ＯＰＴＩＯＮＡＬ
【００４８】
この設定可能な可変のパラメータは、ＳＩＢ１−ＮＢ、ＳＩＢ３−ＮＢ、およびＳＩＢ５−ＮＢのような、システム情報ブロックでＵＥに送信されてもよい。低電力クラスのオフセットがＳＩＢ１−ＮＢにおいて省略されるとき、「０ｄＢ」のデフォルト値が使用されるものとすることに留意されたい。この電力クラス訂正は、ＵＥがａｄｄｉｔｉｏｎａｌＰｍａｘをサポートする場合、つまりＵＥがセルで許容されるＰ−ｍａｘよりも高い電力クラスをサポートする場合は、必要とされない。
【００４９】
もう１つの実施形態において、最大許容ＵＥ電力、Ｐ−ｍａｘ、およびセルの適合性を評価しようと試みるＵＥの出力電力能力に応じて、電力補償は、さらに汎用の関数に置き換えられる。
Ｐｃｏｍｐｅｎｓａｔｉｏｎ＝Ｆ（Ｐ−ｍａｘ−ＰＰｏｗｅｒＣｌａｓｓ）    ［４］
【００５０】
セル選択基準への補償を制御するそのようなパラメータは、汎用関数Ｆによって与えられる。
【００５１】
より簡単な形式において、関数は、Ｐ−ｍａｘとＵＥ電力クラスとの差に伴って線形に増大する補償を適用する。
Ｐｃｏｍｐｅｎｓａｔｉｏｎ＝α・（Ｐ−ｍａｘ−ＰＰｏｗｅｒＣｌａｓｓ）    ［５］
【００５２】
式［５］において、アルファ（α）パラメータは、システム容量への影響を最小化するために、低電力クラスをサポートする特定のＵＥにペナルティを科すように規定されてもよい。
【００５３】
もう１つの実施形態において、アルファパラメータは、以下のように、デバイスの電力クラスに応じて作成される。
Ｐｃｏｍｐｅｎｓａｔｉｏｎ＝α（ＰＰｏｗｅｒＣｌａｓｓ）・（Ｐ−ｍａｘ−ＰＰｏｗｅｒＣｌａｓｓ）    ［６］
【００５４】
これは、たとえば、低電力クラスのデバイスが、繰り返しをデバイスが使用する必要がある結合損失においてシステムにアクセスすることを許可しないように設計されてもよい、汎用のセル適合性基準を規定するように柔軟性を高める。
【００５５】
アルファパラメータは、システム情報ブロック（ＳＩＢ）またはＲＲＣシグナリングによりネットワークによって信号伝達されてもよい。
【００５６】
本開示の実施形態は、以下で図３に示される無線ネットワーク１００のような、任意の適切なネットワークにおいて実施されてもよい。
【００５７】
無線ネットワーク１００は、無線デバイス１１０ａ〜１１０ｂ（同義的にユーザ機器（ＵＥ）と称されることもある）、および相互接続ネットワーク１２５を介して１つまたは複数のコアネットワークノード１３０に接続された複数の無線アクセスノードまたはネットワークノード１２０ａ〜１２０ｂ（たとえば、ｅｎｈａｎｃｅｄ  Ｎｏｄｅ  Ｂ（ｅＮＢ）、ｇＮＢなど）を含む。カバレッジエリア１１５内の無線デバイス１１０は各々、無線インターフェイスを介して無線アクセスノード１２０と直接通信することができる。実施形態において、無線デバイスはまた、デバイスツーデバイス（Ｄ２Ｄ）通信を介して相互に通信することもできる。特定の実施形態において、無線アクセスノード１２０ａ〜１２０ｂはまた、さまざまなインターフェイス／プロトコル（たとえば、ＬＴＥのＸ２、またはその他の類似するインターフェイス／プロトコル）を介して相互に通信することもできる。
【００５８】
例として、無線デバイス１１０ａは、無線インターフェイスを介して無線アクセスノード１２０ａと通信することができる。つまり、無線デバイス１１０ａは、無線信号を送信することができる、および／または無線アクセスノード１２０ａから無線信号を受信することができる。無線信号は、ボイストラフィック、データトラフィック、制御信号、および／または任意の他の適切な情報を含むことができる。一部の実施形態において、無線アクセスノード１２０に関連付けられている無線信号カバレッジのエリアは、セルと称されてもよい。
【００５９】
一部の実施形態において、無線デバイス１１０は、非限定的な用語であるユーザ機器（ＵＥ）により同義的に称されてもよい。無線デバイス１１０は、無線信号を介してネットワークノードまたは別のＵＥと通信することができる任意のタイプの無線デバイスであってもよい。ＵＥはまた、無線通信デバイス、ターゲットデバイス、デバイスツーデバイス（Ｄ２Ｄ）ＵＥ、マシンタイプＵＥまたはマシンツーマシン通信（Ｍ２Ｍ）が可能なＵＥ、ＵＥ装備のセンサー、ｉＰＡＤ、タブレット、モバイル端末、スマートフォン、ラップトップ組み込み機器（ＬＥＥ）、ラップトップ搭載機器（ＬＭＥ）、ＵＳＢドングル、顧客宅内機器（ＣＰＥ）などであってもよい。無線デバイス１１０の例示の実施形態は、図４に関して以下でさらに詳細に説明される。
【００６０】
一部の実施形態において、「ネットワークノード」という一般的な用語が使用される。これは、無線アクセスノード１２０（基地局、無線基地局、ベーストランシーバ局、基地局コントローラ、ネットワークコントローラ、ｇＮＢ、ＮＲ  ＢＳ、エボルブドＮｏｄｅＢ（ｅＮＢ）、ＮｏｄｅＢ、マルチセル／マルチキャスト協調エンティティ（ＭＣＥ）、リレーノード、アクセスポイント、無線アクセスポイント、リモートラジオユニット（ＲＲＵ）、リモート無線ヘッド（ＲＲＨ）、マルチスタンダードＢＳ（別名ＭＳＲ  ＢＳ）など）、コアネットワークノード（たとえば、モバイル管理エンティティ、ＭＭＥ、自己組織化ネットワークノード、ＳＯＮノード協調ノード、測位ノード、ドライブテストノードの最小化、ＭＤＴノードなど）、またはさらには外部ノード（たとえば、サードパーティーノード、現在のネットワークの外部のノード）のような無線ネットワークノードから成る任意の種類のネットワークノードであってもよい。ネットワークノードはまた、テスト機器を備えることもできる。「無線ノード」という用語は、ＵＥ（たとえば、無線デバイス１１０）または無線ネットワークノード（たとえば、無線アクセスノード１２０）を示すために使用されてもよい。無線アクセスノード１２０の例示の実施形態は、図５に関して以下でさらに詳細に説明される。
【００６１】
特定の実施形態において、無線アクセスノードまたはネットワークノード１２０は、無線ネットワークコントローラとインターフェイスをとることができる。無線ネットワークコントローラは、無線アクセスノード１２０を制御することができ、特定の無線リソース管理機能、モビリティ管理機能、および／またはその他の適切な機能を提供することができる。特定の実施形態において、無線ネットワークコントローラの機能は、無線アクセスノード１２０に含まれてもよい。無線ネットワークコントローラは、コアネットワークノード１３０とインターフェイスをとることができる。特定の実施形態において、無線ネットワークコントローラは、相互接続ネットワーク１２５を介してコアネットワークノード１３０とインターフェイスをとることができる。
【００６２】
相互接続ネットワーク１２５は、オーディオ、ビデオ、信号、データ、メッセージ、または前述事項の任意の組合せを送信することができる任意の相互接続システムを示すことができる。相互接続ネットワーク１２５は、公衆交換電話網（ＰＳＴＮ）、パブリックまたはプライベートデータネットワーク、ローカルエリアネットワーク（ＬＡＮ）、大都市圏ネットワーク（ＭＡＮ）、ワイドエリアネットワーク（ＷＡＮ）、ローカル、地域、もしくはグローバル通信、またはインターネットのようなコンピュータネットワーク、有線もしくは無線ネットワーク、企業イントラネット、もしくはそれらの組合せを含む任意のその他の適切な通信リンクの全部または一部を含むことができる。
【００６３】
一部の実施形態において、コアネットワークノード１３０は、無線デバイス１１０の通信セッションの確立およびさまざまなその他の機能を管理することができる。コアネットワークノード１３０の例は、移動通信交換局（ＭＳＣ）、ＭＭＥ、サービングゲートウェイ（ＳＧＷ）、パケットデータネットワークゲートウェイ（ＰＧＷ）、運用および保守（Ｏ＆Ｍ）、オペレーションサポートシステム（ＯＳＳ）、ＳＯＮ、測位ノード（たとえば、Ｅｎｈａｎｃｅｄ  Ｓｅｒｖｉｎｇ  Ｍｏｂｉｌｅ  Ｌｏｃａｔｉｏｎ  Ｃｅｎｔｅｒ（Ｅ−ＳＭＬＣ））、ＭＤＴノードなどを含むことができる。無線デバイス１１０は、非アクセス階層レイヤを使用して、特定の信号をコアネットワークノードと交換することができる。非アクセス階層シグナリングにおいて、無線デバイス１１０とコアネットワークノード１３０の間の信号は、無線アクセスネットワークを通じて透過的に渡されてもよい。特定の実施形態において、無線アクセスノード１２０は、ノード間インターフェイスを介して１つまたは複数のネットワークノードとインターフェイスをとることができる。たとえば、無線アクセスノード１２０ａおよび１２０ｂは、Ｘ２インターフェイスを介してインターフェイスをとることができる。
【００６４】
図３は、ネットワーク１００の特定の配列を示すが、本開示は、本明細書において説明されるさまざまな実施形態が、任意の適切な設定を有するさまざまなネットワークに適用されうることを企図する。たとえば、ネットワーク１００は、任意の適切な数の無線デバイス１１０および無線アクセスノード１２０、ならびに無線デバイス間または無線デバイスと（固定電話のような）別の通信デバイスの間の通信をサポートするのに適切な任意の追加の要素を含むことができる。実施形態は、任意の適切な通信標準をサポートし、任意の適切なコンポーネントを使用する任意の適切なタイプの電気通信システムにおいて実施されてもよく、無線デバイスが信号（たとえば、データ）を受信および／または送信する任意の無線アクセス技術（ＲＡＴ）またはマルチＲＡＴシステムに適用可能である。特定の実施形態は、ＮＲおよび／またはＬＴＥについて説明されるが、実施形態は、ユニバーサル移動体通信システム地上波無線アクセスネットワーク（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ  Ｔｅｒｒｅｓｔｒｉａｌ  Ｒａｄｉｏ  Ａｃｃｅｓｓ  Ｎｅｔｗｏｒｋ）（ＵＴＲＡ）、拡張ＵＴＲＡ（Ｅ−ＵＴＲＡ）、狭帯域モノのインターネット（ＮＢ−ＩｏＴ）、ＷｉＦｉ、ブルートゥース、次世代ＲＡＴ（ＮＲ、ＮＸ）、４Ｇ、５Ｇ、ＬＴＥ  ＦＤＤ／ＴＤＤ、広帯域符号分割多元接続（ＷＣＤＭＡ）、高速パケットアクセス（ＨＳＰＡ）、Ｇｌｏｂａｌ  Ｓｙｓｔｅｍ  ｆｏｒ  Ｍｏｂｉｌｅ  Ｃｏｍｍｕｎｉｃａｔｉｏｎ（ＧＳＭ）、ＧＳＭ  Ｅｄｇｅ  Ｒａｄｉｏ  アクセス  Ｎｅｔｗｏｒｋ（ＧＥＲＡＮ）、ＷＬＡＮ、ＣＤＭＡ２０００などの、任意のＲＡＴに適用可能である。
【００６５】
図４は、特定の実施形態による、例示的な無線デバイス１１０を示すブロック図である。
【００６６】
無線デバイス１１０は、送受信機１５０、プロセッサ１５２、およびメモリ１５４を含む。一部の実施形態において、送受信機１５０は、（たとえば、アンテナを介して）無線信号の送信、および無線アクセスノード１２０からの無線信号の受信を容易にし、プロセッサ１５２は、無線デバイス１１０によって提供されている上記で説明される機能の一部または全部を提供するための命令を実行し、メモリ１５４は、プロセッサにより実行するための命令を格納する。
【００６７】
プロセッサ、上記で説明されている無線デバイス１１０の機能のような、無線デバイス１１０の説明されている機能の一部または全部を実行するように、命令を実行してデータを操作するために、１つまたは複数のモジュールにおいて実施されたハードウェアおよびソフトウェアの任意の適切な組合せを含むことができる。一部の実施形態において、プロセッサは、たとえば、１つまたは複数のコンピュータ、１つまたは複数の中央演算処理装置（ＣＰＵ）、１つまたは複数のマイクロプロセッサ、１つまたは複数のアプリケーション、１つまたは複数の特定用途向け集積回路（ＡＳＩＣ）、１つまたは複数のフィールドプログラマブルゲートアレイ（ＦＰＧＡ）および／またはその他の論理を含むことができる。
【００６８】
メモリ１５４は、概して、論理、ルール、アルゴリズム、コード、テーブルなどの１つまたは複数を含む、コンピュータプログラム、ソフトウェア、アプリケーションのような命令、および／またはプロセッサによって実行されうるその他の命令を格納するように動作可能である。メモリの例は、コンピュータメモリ（たとえば、ランダムアクセスメモリ（ＲＡＭ）または読み取り専用メモリ（ＲＯＭ））、大容量ストレージ媒体（たとえば、ハードディスク）、取り外し可能ストレージ媒体（たとえば、コンパクトディスク（ＣＤ）またはデジタルビデオディスク（ＤＶＤ））、および／または無線デバイス１１０のプロセッサによって使用されうる情報、データ、および／または命令を格納する任意のその他の揮発性または不揮発性の、非一時的コンピュータ可読および／またはコンピュータ実行可能メモリデバイスを含む。
【００６９】
無線デバイス１１０のその他の実施形態は、上記で説明されている機能および／または（上記で説明されている解決策をサポートするために必要な任意の機能を含む）追加の機能のいずれかを含む、無線デバイスの機能の特定の態様を提供することに責任を負う、図４に示されているコンポーネント以外の追加のコンポーネントを含むことができる。単に１つの例として、無線デバイス１１０は、入力デバイスおよび回路、出力デバイス、ならびに１つまたは複数の同期ユニットまたは回路を含むことができ、これらはプロセッサの一部であってもよい。入力デバイスは、無線デバイス１１０へのデータのエントリのためのメカニズムを含む。たとえば、入力デバイスは、マイクロフォン、入力要素、ディスプレイなどのような、入力メカニズムを含むことができる。出力デバイスは、オーディオ、ビデオ、および／またはハードコピーのフォーマットでデータを出力するためのメカニズムを含むことができる。たとえば、出力デバイスは、スピーカ、ディスプレイなどを含むことができる。
【００７０】
図５は、特定の実施形態による、例示的な無線アクセスノードまたはネットワークノード１２０を示すブロック図である。
【００７１】
無線アクセスノードまたはネットワークノード１２０は、送受信機１６０、プロセッサ１６２、メモリ１６６、およびネットワークインターフェイス１６４のうちの１つまたは複数を含むことができる。一部の実施形態において、送受信機１６０は、（たとえば、アンテナを介して）無線デバイス１１０への無線信号の送信、および無線デバイス１１０からの無線信号の受信を容易にし、プロセッサ１６２は、無線アクセスノード１２０によって提供されている上記で説明される機能の一部または全部を提供するための命令を実行し、メモリ１６６は、プロセッサ１６２により実行するための命令を保持し、ネットワークインターフェイス１６４は、ゲートウェイ、スイッチ、ルータ、インターネット、公衆交換電話網（ＰＳＴＮ）、コアネットワークノード、または無線ネットワークコントローラなどのような、バックエンドのネットワークコンポーネントに信号を通信する。
【００７２】
プロセッサ１６２は、上記で説明されているような、無線アクセスノード１２０の説明されている機能の一部または全部を実行するように、命令を実行してデータを操作するために、１つまたは複数のモジュールにおいて実施されたハードウェアおよびソフトウェアの任意の適切な組合せを含むことができる。一部の実施形態において、プロセッサ１６２は、たとえば、１つまたは複数のコンピュータ、１つまたは複数の中央演算処理装置（ＣＰＵ）、１つまたは複数のマイクロプロセッサ、１つまたは複数のアプリケーション、１つまたは複数の特定用途向け集積回路（ＡＳＩＣ）、１つまたは複数のフィールドプログラマブルゲートアレイ（ＦＰＧＡ）および／またはその他の論理を含むことができる。
【００７３】
メモリ１６６は、概して、論理、ルール、アルゴリズム、コード、テーブルなどの１つまたは複数を含む、コンピュータプログラム、ソフトウェア、アプリケーションのような命令、および／またはプロセッサによって実行されうるその他の命令を格納するように動作可能である。メモリの例は、コンピュータメモリ（たとえば、ランダムアクセスメモリ（ＲＡＭ）または読み取り専用メモリ（ＲＯＭ））、大容量ストレージ媒体（たとえば、ハードディスク）、取り外し可能ストレージ媒体（たとえば、コンパクトディスク（ＣＤ）またはデジタルビデオディスク（ＤＶＤ））、および／または情報を格納する任意のその他の揮発性または不揮発性の、非一時的コンピュータ可読および／またはコンピュータ実行可能メモリデバイスを含む。
【００７４】
一部の実施形態において、ネットワークインターフェイス１６４は、プロセッサ１６２に通信可能に結合されており、無線アクセスノード１２０の入力を受信し、無線アクセスノード１２０からの出力を送信し、入力または出力またはその両方の適切な処理を実行し、他のデバイスと通信するように動作可能な任意の適切なデバイス、もしくはそれらの任意の組合せを示すことができる。ネットワークインターフェイス１６４は、ネットワークを通じて通信するため、適切なハードウェア（たとえば、ポート、モデム、ネットワークインターフェイスカードなど）、ならびにプロトコル変換およびデータ処理能力を含むソフトウェアを含むことができる。
【００７５】
無線アクセスノードまたはネットワークノード１２０のその他の実施形態は、上記で説明されている機能および／または（上記で説明されている解決策をサポートするために必要な任意の機能を含む）追加の機能のいずれかを含む、無線ネットワークノードの機能の特定の態様を提供することに責任を負う、図５に示されているコンポーネント以外の追加のコンポーネントを含むことができる。多種多様なタイプのネットワークノードは、同じ物理ハードウェアを有するが異なる無線アクセス技術をサポートするように（たとえば、プログラミングを介して）設定されたコンポーネントを含むことができるか、または部分的もしくは全体的に異なる物理コンポーネントを表すことができる。
【００７６】
図４〜図５に関して説明されているものと類似するプロセッサ、インターフェイス、およびメモリは、（コアネットワークノード１３０のような）その他のネットワークノードに含まれてもよい。その他のネットワークノードは、（図４〜図５において説明されている送受信機のような）無線インターフェイスをオプションとして含んでも、または含まなくてもよい。
【００７７】
図６は、以下で、本発明の開示の特定の実施形態による、無線デバイス１１０によって実行されうる方法２００の例を示す。第１に、方法は、無線デバイスに関連付けられている最大出力電力能力を決定する（ブロック２０２）。最大出力電力能力は、任意の他の適切な方法で決定されてもよい。例として、無線デバイスは、最大出力電力に関連する１つまたは複数のパラメータで設定されてもよく、方法は、１つまたは複数のパラメータの設定に基づいて最大出力電力能力を決定することができる。特定の実施形態において、無線デバイスは、電力クラスに属すことができ、最大出力電力能力は、電力クラスを示すことができる。
【００７８】
第２に、方法は、無線アクセスノードに関連付けられているセルから信号を受信する（ブロック２０４）。第３に、方法は、セルからの信号がセル適合性基準を満たすかどうかを決定し、セル適合性基準は、無線デバイスに関連付けられている最大出力電力能力に少なくとも部分的に基づく（ブロック２０６）。すなわち、セル適合性基準は、無線デバイスの最大出力電力能力に応じて非線形であってもよい。特定の実施形態において、無線アクセスノードから受信された信号がしきい値を満たすかまたは超える場合に、セル適合性基準は満たされる。たとえば、セル適合性基準は、受信された信号が、ＲＳＳＩのしきい値、信号レベル推定、品質推定、Ｃ／Ｉ、ＳＮＲ、ＳＩＮＲ、および／またはその他の適切なしきい値を満たすかまたは超える場合に満足される。
【００７９】
特定の実施形態において、セル適合性基準は、ベースラインセル適合性基準に加えて、無線デバイスの最大出力電力能力に依存する電力クラス固有のシフトを備えることができる。セル適合性基準（たとえば、ベースライン基準および電力クラス固有のシフト）は、１つまたは複数の事前規定済みのルール、１つまたは複数の事前規定済みのパラメータ、および／または１つまたは複数のネットワークにより設定されたパラメータのような任意の適切な方法で決定されてもよい。
【００８０】
例として、無線デバイスは、第１の電力クラス（無線デバイスがより高い最大出力電力能力を有する場合）、または第２の電力クラス（無線デバイスがより低い最大出力電力能力を有する場合）のいずれかに属すことができる。第１の電力クラスは、第１の電力クラス固有のシフト値に関連付けられてもよく、第２の電力クラスは、第２の電力クラス固有のシフト値に関連付けられてもよい。第１および第２の電力クラス固有のシフト値は、セルの端部寄りのカバレッジ条件のような、第２の電力クラスの無線デバイスがセルを選択しないようなカバレッジ条件の間に、第１の電力クラスの無線デバイスがセルを選択することができるように設定されてもよい。これは、より低い最大出力電力能力を持つ無線デバイスが、それ以外の場合に繰り返し送信を送信するよう求めるカバレッジ条件においてセル適合性基準を満たすことはないので、ネットワークにおけるブラインド繰り返しの回数を低減することができる。簡単にするために、前述の例は２つの電力クラスについて説明されたが、任意の適切な電力クラスの数が使用されてもよい。
【００８１】
第４に、方法は、セルからの信号がセル適合性基準を満たすという決定に応答してセルを選択する（ブロック２０８）。セルを選択することは、コール、データセッションなどを接続するために、セルにキャンプすること、またはセルと通信することを示すことができる。一方、セル適合性基準が満たされないという決定が行なわれる場合、方法は、セル適合性基準を満たす別のセルを検索することができる。
【００８２】
図７は、以下に、無線アクセスノード１２０のようなネットワークノードにおける方法３００の例を示す。特定の実施形態において、方法は、ネットワーク容量依存のセル適合性基準が使用可能であると決定すること（ブロック３０２）と、これに応じて、無線デバイスの最大出力電力能力に依存するセル適合性基準を無線デバイスに通信すること（ブロック３０４）とを備える。たとえば、方法は、（１）（たとえば、オン／オフ設定を設定することにより）明示的に基準を使用可能にする、または（２）（たとえば、セル適合性基準を無線デバイスの最大出力電力能力に関連付けるルールまたはパラメータを設定することにより）暗示的に基準を使用可能にする、１つまたは複数の事前規定済みのルールおよび／または１つまたは複数の事前規定済みのパラメータが設定されている場合、ネットワーク容量依存のセル適合性基準が使用可能であると決定することができる。同様に、方法は、たとえば、１つまたは複数の事前規定済みのルールおよび／または１つまたは複数の事前規定済みのパラメータに従って通信するために特定のセル適合性基準を決定することができる。セル適合性基準は、任意の適切な方法で通信されてもよい。１つの例として、方法は、複数の電力クラスについて複数のセル適合性基準をブロードキャストし、各無線デバイスはそれぞれの電力クラスのセル適合性基準を決定することができる。もう１つの例として、無線デバイスは、各自の電力クラス情報をネットワークノードに通信することができ、これに応じて、ネットワークノードは、その電力クラスのセル適合性基準を指示するメッセージを無線デバイスに送信することができる。
【００８３】
図８は、以下に、無線デバイス１１０に含まれうるモジュールの例を示す。特定の実施形態において、モジュールは、図６に関して説明される方法を実行する。例として、セル検出モジュール（Ａ）は、無線アクセスノードに関連付けられているセルから信号を受信することができる。セル適合性設定モジュール（Ｂ）は、無線デバイスに関連付けられている最大出力電力能力に少なくとも部分的に基づくセル適合性基準を決定することができる。たとえば、基準は、１つまたは複数の事前規定済みのルール、１つまたは複数の事前規定済みのパラメータ、および／または１つまたは複数のネットワークにより設定されたパラメータに基づいて決定されてもよい。セル選択モジュール（Ｃ）は、セル適合性基準が満たされた（たとえば、モジュール（Ａ）により受信された信号がＲＳＳＩ、信号レベル推定、品質推定、Ｃ／Ｉ、ＳＮＲ、ＳＩＮＲ、および／またはモジュール（Ｂ）により決定されたセル適合性基準のその他の要件を満たす）という決定に応答して、（たとえば、セルにキャンプするかまたはセルとコールもしくはセッションを通信するための）セルを選択する。特定の実施形態において、モジュールは、図４に関して説明される１つまたは複数のプロセッサを使用して実施される。モジュールは、説明される機能を実行するのに適切な任意の方法で組み入れられるかまたは分離されてもよい。
【００８４】
図９は、以下に、無線アクセスノード１２０に含まれうるモジュールの例を示す。特定の実施形態において、モジュールは、図７に関して説明される方法を実行する。たとえば、ネットワーク容量依存のセル適合性モジュール（Ａ）は、ネットワーク容量依存のセル適合性が使用可能であるかどうかを決定することができ、使用可能である場合、（たとえば、事前設定済みのルールまたは事前設定済みのパラメータに基づいて）セル適合性基準を決定することができる。セル適合性基準通信モジュール（Ｂ）は、セル適合性基準を１つまたは複数の無線デバイスに通信することができる。特定の実施形態において、モジュールは、図５に関して説明される１つまたは複数のプロセッサを使用して実施される。モジュールは、説明される機能を実行するのに適切な任意の方法で組み入れられるかまたは分離されてもよい。
【００８５】
図１０は、もう１つの実施形態による、無線通信においてセルを選択するための方法４００を示す流れ図である。方法４００は、たとえば、無線デバイス１１０ａまたは１１０ｂによって実行されてもよい。
【００８６】
方法４００は、ネットワークノードに関連付けられているセルから信号を受信することを備える（ブロック４０４）。
【００８７】
方法４００は、セルからの信号がセル選択基準を満たすかどうかを決定することであって、セル選択基準は、セル選択基準に対する補償を制御するパラメータに少なくとも部分的に基づいており、補償は無線デバイスの電力クラスに関連付けられている、決定することを備える（ブロック４０６）。
【００８８】
方法４００はまた、セルからの信号がセル選択基準を満たすという決定に応答してセルを選択することを備える（ブロック４０８）。
【００８９】
方法４００はまた、無線デバイスに関連付けられている最大出力電力能力を決定するオプションのステップを備える（ブロック４０２）。
【００９０】
一部の実施形態において、受信される信号は、参照信号である。
【００９１】
一部の実施形態において、無線デバイスは、信号がセル選択基準を満たすかどうかを決定する際に参照信号の受信電力を測定する。
【００９２】
一部の実施形態において、無線デバイスの電力クラスに関連付けられている補償を制御するパラメータは、システム情報ブロック（ＳＩＢ）で受信される。
【００９３】
一部の実施形態において、パラメータは、無線デバイスがセルにアクセスすることを許可するか、または無線デバイスがセルにアクセスすることを拒否するように補償をシフトするオフセット値である。
【００９４】
一部の実施形態において、Ｐｃｏｍｐｅｎｓａｔｉｏｎと称される、補償は、Ｐｃｏｍｐｅｎｓａｔｉｏｎ＝ｍａｘ（Ｐ−ｍａｘ−（ＰＰｏｗｅｒＣｌａｓｓ−ＬＰＣ−Ｏｆｆｓｅｔ）、０）を備える。
【００９５】
ここで、Ｐ−ｍａｘはセル内の最大アップリンク送信電力であり、ＰＰｏｗｅｒＣｌａｓｓは無線デバイスの電力クラスに従う無線デバイスの最大ＲＦ出力電力であり、ＬＣＰ−ｏｆｆｓｅｔはオフセット値またはパラメータである。
【００９６】
一部の実施形態において、パラメータは、最大許容ＵＥ電力と無線デバイスの出力電力の関数により提供されるが、たとえば例示の式４を参照されたい。
【００９７】
一部の実施形態において、関数は線形関数である。
【００９８】
一部の実施形態において、線形関数は、無線デバイスの電力クラスにさらに依存する。
【００９９】
一部の実施形態において、方法４００は、無線デバイスに関連付けられている最大出力電力能力を決定する。
【０１００】
一部の実施形態において、セル選択基準は、無線デバイスに関連付けられている最大出力電力能力に少なくとも部分的にさらに基づく。
【０１０１】
方法４００が、たとえば図８に示されるように、無線デバイス１１０のモジュールによって実行されてもよいことに留意されたい。セル検出モジュールＡは、ネットワークノードに関連付けられているセルから信号を受信するように設定される。セル適合性設定モジュールＢは、受信された信号がセル選択基準を満たすかどうかを決定するように設定され、セル選択基準は、セル選択基準に対する補償を制御するパラメータに少なくとも部分的に基づいており、補償は無線デバイスの電力クラスに関連付けられている。セル選択基準Ｃは、セルからの信号がセル選択基準を満たすという決定に応答してセルを選択するように設定される。
【０１０２】
方法４００はまた、図４のメモリ１５４と組み合わせてプロセッサ１５２によって実行されてもよい。
【０１０３】
図１１を参照すると、もう１つの実施形態による、無線通信においてセルアクセスを制御するための方法５００を示す流れ図が説明される。方法５００は、たとえば、ネットワークノードまたは無線アクセスノード１２０によって実行されてもよい。
【０１０４】
方法５００は、セル選択基準に対する補償を制御するパラメータを決定することであって、補償は無線デバイスの電力クラスに関連付けられている、決定することを備える（ブロック５０２）。
【０１０５】
方法５００は、ネットワークノードが関連付けられているセルに信号を送信することであって、信号は決定されたパラメータを備える、送信することを備える（ブロック５０４）。
【０１０６】
一部の実施形態において、ネットワークノードまたは無線アクセスノードは、参照信号を送信する。
【０１０７】
一部の実施形態において、信号は、決定されたパラメータを搬送するシステム情報ブロック（ＳＩＢ）を備える。
【０１０８】
一部の実施形態において、信号は、セル選択基準に関連する追加のパラメータを備える。
【０１０９】
一部の実施形態において、ネットワークノードは、カバレッジ拡張とカバレッジ拡張が必要とするネットワークリソースの量との間のトレードオフに基づいてパラメータを決定する。
【０１１０】
一部の実施形態において、パラメータは、無線デバイスがセルにアクセスすることを許可するか、または無線デバイスがセルにアクセスすることを拒否するようにセル選択基準をシフトするオフセット値である。
【０１１１】
一部の実施形態において、補償はＰｃｏｍｐｅｎｓａｔｉｏｎと称され、Ｐｃｏｍｐｅｎｓａｔｉｏｎ＝ｍａｘ（Ｐ−ｍａｘ−（ＰＰｏｗｅｒＣｌａｓｓ−ＬＰＣ−Ｏｆｆｓｅｔ）、０）を備える。
【０１１２】
ここで、Ｐ−ｍａｘはセル内の最大アップリンク送信電力であり、ＰＰｏｗｅｒＣｌａｓｓはその電力クラスに従う無線デバイスの最大無線周波数（ＲＦ）出力電力であり、ＬＣＰ−ｏｆｆｓｅｔはオフセット値／パラメータである。
【０１１３】
一部の実施形態において、パラメータは、最大許容ＵＥ電力と無線デバイスの出力電力の関数を備える。
【０１１４】
一部の実施形態において、関数は線形関数である。
【０１１５】
一部の実施形態において、線形関数は、無線デバイスの電力クラスにさらに依存する。
【０１１６】
一部の実施形態において、セル選択基準は、無線デバイスに関連付けられている最大出力電力能力に少なくとも部分的にさらに基づく。
【０１１７】
一部の実施形態において、ネットワークノードは、セルからの信号がセル選択基準を満たすという決定に応答して、セルとの接続を確立するよう求める接続要求を受信する。
【０１１８】
方法５００が、たとえば図９に示されるように、無線デバイス１１０のモジュールにおいて実施されうることに留意されたい。ネットワーク容量依存のセル適合性基準モジュールＡは、セル選択基準に対する補償を制御するパラメータを決定するように設定され、補償は無線デバイスの電力クラスに関連付けられている。セル適合性基準通信モジュールＢは、ネットワークノードが関連付けられているセルに信号を送信するように設定され、信号は決定されたパラメータを備える。
【０１１９】
方法５００はまた、図５のメモリ１６６と組み合わせてプロセッサ１６２によって実行されてもよい。
【０１２０】
本開示の範囲を逸脱することなく、本明細書において説明されるシステムおよび装置に変更、追加、または省略が行なわれてもよい。システムおよび装置のコンポーネントは、統合されるか、または分離されてもよい。さらに、システムおよび装置の動作は、より多いか、より少ないか、またはその他のコンポーネントによって実行されてもよい。加えて、システムおよび装置の動作は、ソフトウェア、ハードウェア、および／またはその他の論理を備える任意の適切な論理を使用して実行されてもよい。本文書において使用される「各（ｅａｃｈ）」は、セットの各設定要素、またはセットのサブセットの各設定要素を示す。
【０１２１】
方法は、より多いか、より少ないか、またはその他のステップを含むことができる。加えて、ステップは、任意の適切な順序で実行されてもよい。一般に、特許請求の範囲において使用されるすべての用語は、本明細書において明示的に規定されていない限り、当技術分野におけるそれらの通常の意味に従って解釈されるものとする。「１つの（ａ／ａｎ）／要素、装置、コンポーネント、手段、ステップなど」のすべての参照は、特に明記のない限り、要素、装置、コンポーネント、手段、ステップなどの少なくとも１つの例を参照するものとして広義に解釈されるものとする。本明細書において開示される任意の方法のステップは、特に明記のない限り、開示されている正確な順序で実行される必要はない。
【０１２２】
当業者によって理解されるであろうように、本明細書において説明される概念は、方法、データ処理システム、および／またはコンピュータプログラム製品として具現されてもよい。したがって、本明細書において説明される概念は、完全にハードウェアの実施形態、完全にソフトウェアの実施形態、または本明細書においてすべてが概して「回路」もしくは「モジュール」と称されソフトウェアおよびハードウェアの態様を組み合わせる実施形態の形をとることができる。さらに、本開示は、コンピュータにより実行されうる媒体において具現されたコンピュータプログラムコードを有する有形のコンピュータ使用可能なストレージ媒体上のコンピュータプログラム製品の形をとることができる。ハードディスク、ＣＤ−ＲＯＭ、電子ストレージデバイス、光ストレージデバイス、または磁気ストレージデバイスを含む、任意の適切な有形のコンピュータ可読媒体が使用されてもよい。
【０１２３】
一部の実施形態は、本明細書において、方法、システム、およびコンピュータプログラム製品の流れ図図解および／またはブロック図を参照して説明される。流れ図図解および／またはブロック図の各ブロックならびに流れ図図解および／またはブロック図のブロックの組合せが、コンピュータプログラム命令によって実施されうることが理解されよう。これらのコンピュータプログラム命令は、コンピュータのプロセッサまたはその他のプログラマブルデータ処理装置を介して実行する命令が、流れ図および／またはブロック図の単一または複数のブロックで指定された機能／動作を実施するための手段を作成するように、汎用コンピュータ（次いで特殊用途コンピュータを形成する）、特殊用途コンピュータ、またはその他のプログラマブルデータ処理装置に提供されてマシンを生成することができる。
【０１２４】
これらのコンピュータプログラム命令はまた、特定の方式で機能するようにコンピュータまたはその他のプログラマブルデータ処理装置を指図することができるコンピュータ可読メモリまたはストレージ媒体に格納されて、コンピュータ可読メモリに格納された命令が、流れ図および／またはブロック図の単一または複数のブロックにおいて指定される機能／動作を実施する命令手段を含む製造品を生成するようにされてもよい。
【０１２５】
コンピュータプログラム命令はまた、コンピュータまたはその他のプログラマブルデータ処理装置にロードされて、コンピュータまたはその他のプログラマブル装置上で実行する命令が、流れ図および／またはブロック図の単一または複数のブロックにおいて指定される機能／動作を実施するためのステップを提供するように、コンピュータ実施のプロセスを生成するためにコンピュータまたはその他のプログラマブル装置上で一連の操作ステップが実行されるようにすることができる。
【０１２６】
ブロックにおいて示される機能／動作は、操作の説明に示される順序通りに生じていない場合もあることに留意されたい。たとえば、連続して示される２つのブロックが、実際にはほぼ同時に実行されることもあるか、またはブロックが場合によっては、関与する機能／動作に応じて逆の順序で実行されることもある。さらに、図の一部は通信の基本方向を示すために通信パス上に矢印を含むが、通信は、示されている矢印に関して反対方向に生じる場合もあることを理解されたい。
【０１２７】
本明細書において説明される概念の操作を実行するためのコンピュータプログラムコードは、Ｊａｖａ（登録商標）、またはＣ＋＋のような、オブジェクト指向プログラミング言語で記述されてもよい。しかし、本開示の操作を実行するためのコンピュータプログラムコードはまた、「Ｃ」プログラミング言語のような、従来のプロシージャ型プログラミング言語で記述されてもよい。プログラムコードは、全体をユーザのコンピュータ上で、部分的にユーザのコンピュータ上で、スタンドアロンのソフトウェアパッケージとして、一部をそれぞれユーザのコンピュータ上およびリモートコンピュータ上で、または全体をリモートコンピュータ上で実行することができる。後者のシナリオにおいて、リモートコンピュータは、ローカルエリアネットワーク（ＬＡＮ）またはワイドエリアネットワーク（ＷＡＮ）を通じてユーザのコンピュータに接続されてもよいか、または接続は（たとえば、インターネットサービスプロバイダを使用してインターネット経由で）外部のコンピュータに行なわれてもよい。
【０１２８】
実施形態例
【０１２９】
１．  無線デバイスにおいて使用する方法であって、
無線アクセスノードに関連付けられているセルから信号を受信することと、
セルからの信号がセル適合性基準を満たすかどうかを決定することであって、セル適合性基準は、無線デバイスに関連付けられている最大出力電力能力に少なくとも部分的に基づくこととを備える方法。
【０１３０】
２．  ネットワークノードから受信された１つまたは複数のネットワーク設定済みのパラメータ、１つまたは複数の事前規定済みのルール、および／または１つまたは複数の事前規定済みのパラメータに基づいてセル適合性基準を決定することをさらに備える実施形態１に記載の例示の方法。
【０１３１】
３．  セルからの信号がセル適合性基準を満たすという決定に応答してセルを選択することをさらに備える実施形態１に記載の例示の方法。
【０１３２】
４．  セル適合性基準を満たすために、受信された信号は、ＲＳＳＩ、信号レベル推定、品質推定、Ｃ／Ｉ、ＳＮＲ、およびＳＩＮＲのうちの少なくとも１つのしきい値を満たすかまたは超える実施形態３に記載の例示の方法。
【０１３３】
５．  セル適合性基準は、ベースラインセル適合性基準に加えて、無線デバイスの最大出力電力能力に依存する電力クラス固有のシフトを備える実施形態１に記載の例示の方法。
【０１３４】
６．  ネットワークノードにおいて使用する方法であって、
ネットワーク容量依存のセル適合性基準が使用可能であると決定することと、
無線デバイスの最大出力電力能力に依存するセル適合性基準を無線デバイスに通信することであり、セル適合性基準は、ネットワーク容量依存のセル適合性基準が使用可能である場合に通信されることとを備える方法。
【０１３５】
７．  セル適合性基準は、ＲＳＳＩ、信号レベル推定、品質推定、Ｃ／Ｉ、ＳＮＲ、およびＳＩＮＲのうちの少なくとも１つのしきい値を指示する実施形態６に記載の例示の方法。
【０１３６】
８．  １つまたは複数の事前規定済みのルールおよび／または１つまたは複数の事前規定済みのパラメータに基づいてセル適合性基準を決定することをさらに備える実施形態６に記載の例示の方法。
【０１３７】
９．  セル適合性基準は、ベースラインセル適合性基準に加えて、無線デバイスの最大出力電力能力に依存する電力クラス固有のシフトを備える実施形態６に記載の例示の方法。
【０１３８】
１０．  セル適合性基準はブロードキャストを介して通信される実施形態６に記載の例示の方法。
【０１３９】
１１．  セル適合性基準は、無線デバイスから最大出力電力能力の指示を受信することに応答して、無線デバイスに宛てられたメッセージで通信される実施形態６に記載の例示の方法。
【０１４０】
１２．  非一時的コンピュータ可読媒体と、
プロセッサであって、
無線アクセスノードに関連付けられているセルから信号を受信することと、
セルからの信号がセル適合性基準を満たすかどうかを決定することであって、セル適合性基準は、無線デバイスに関連付けられている最大出力電力能力に少なくとも部分的に基づくこととを行なうように設定されたプロセッサとを備える無線デバイス。
【０１４１】
１３．  プロセッサは、実施形態例１〜５のステップのいずれか１つまたは複数を実行するようにさらに設定されている、実施形態例１２に記載の無線デバイス。
【０１４２】
１４．  非一時的コンピュータ可読媒体と、
プロセッサであって、
ネットワーク容量依存のセル適合性基準が使用可能であると決定することと、
無線デバイスの最大出力電力能力に依存するセル適合性基準を無線デバイスに通信することであり、セル適合性基準は、ネットワーク容量依存のセル適合性基準が使用可能である場合に通信されることとを行なうように設定されたプロセッサとを備えるネットワークノード。
【０１４３】
１５．  プロセッサは、実施形態例６から１１のステップのいずいれか１つまたは複数を実行するようにさらに設定されている、実施形態例１３に記載のネットワークノード。
【０１４４】
前述の例は、非限定的であり、任意の適切な方法で組み合わされてもよい。
【０１４５】
多くのさまざまな実施形態は、前述の説明および図面に関連して、本明細書において開示された。これらの実施形態のあらゆる組合せおよび部分的組合せを逐語的に説明および例示することは、過度に繰り返しの多い、不明瞭なものとなることが理解されよう。したがって、すべての実施形態は、任意の方法および／または組合せで組み合わされてもよく、図面を含む本明細書は、本明細書において説明される実施形態のすべての組合せおよび部分的組合せ、ならびにそれらを行い使用する方法およびプロセスの完全な書面による説明を設定すると解釈され、任意のそのような組合せまたは部分的組合せに対する主張を支持するものとする。
【図１】
2019536307.tif 000004
【図２】
2019536307.tif 000005
【図３】
2019536307.tif 000006
【図４】
2019536307.tif 000007
【図５】
2019536307.tif 000008
【図６】
2019536307.tif 000009
【図７】
2019536307.tif 000010
【図８】
2019536307.tif 000011
【図９】
2019536307.tif 000012
【図１０】
2019536307.tif 000013
【図１１】
2019536307.tif 000014
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
無線通信ネットワークにおいて無線デバイスによりセルを選択するための方法であって、
ネットワークノードに関連付けられているセルから信号を受信することと、
前記セルからの前記信号がセル選択基準を満たすかどうかを決定することであって、前記セル選択基準は、前記セル選択基準に対する補償を制御するパラメータに少なくとも部分的に基づいており、前記補償は前記無線デバイスの電力クラスに関連付けられている、決定することと、
前記セルからの前記信号が前記セル選択基準を満たすという決定に応答して前記セルを選択することとを備え、
前記補償は、Ｐｃｏｍｐｅｎｓａｔｉｏｎと称され、
Ｐｃｏｍｐｅｎｓａｔｉｏｎ＝ｍａｘ（Ｐ−ｍａｘ−（ＰＰｏｗｅｒＣｌａｓｓ−ＬＰＣ−Ｏｆｆｓｅｔ）、０）を備え、
ここで、Ｐ−ｍａｘはセル内の最大アップリンク送信電力であり、ＰＰｏｗｅｒＣｌａｓｓは前記無線デバイスの電力クラスに従う前記無線デバイスの最大無線周波数（ＲＦ）出力電力であり、ＬＣＰ−ｏｆｆｓｅｔは前記パラメータである、方法。
【請求項２】
受信された前記信号は参照信号である、請求項１に記載の方法。
【請求項３】
前記補償を制御する前記パラメータは、システム情報ブロック（ＳＩＢ）で受信される、請求項１又は２に記載の方法。
【請求項４】
前記パラメータは、前記無線デバイスが前記セルにアクセスすることを許可するか、または前記無線デバイスが前記セルにアクセスすることを拒否するように前記セル選択基準をシフトするオフセット値である、請求項１から３のいずれか一項に記載の方法。
【請求項５】
前記パラメータは、最大許容ＵＥ電力と前記無線デバイスの出力電力の関数を備える、請求項１から４のいずれか一項に記載の方法。
【請求項６】
無線通信ネットワークにおいてセルアクセスを制御するためのネットワークノードの方法であって、
セル選択基準に対する補償を制御するパラメータを決定することであって、前記補償は無線デバイスの電力クラスに関連付けられている、決定することと、
前記ネットワークノードが関連付けられているセルに信号を送信することであって、前記信号は決定された前記パラメータを備える、送信することとを備え、
前記補償は、Ｐｃｏｍｐｅｎｓａｔｉｏｎと称され、
Ｐｃｏｍｐｅｎｓａｔｉｏｎ＝ｍａｘ（Ｐ−ｍａｘ−（ＰＰｏｗｅｒＣｌａｓｓ−ＬＰＣ−Ｏｆｆｓｅｔ）、０）を備え、
ここで、Ｐ−ｍａｘはセル内の最大アップリンク送信電力であり、ＰＰｏｗｅｒＣｌａｓｓは前記無線デバイスの電力クラスに従う前記無線デバイスの最大無線周波数（ＲＦ）出力電力であり、ＬＣＰ−ｏｆｆｓｅｔは前記パラメータである、方法。
【請求項７】
参照信号を前記セルに送信することをさらに備える、請求項６に記載の方法。
【請求項８】
前記信号は、決定された前記パラメータを搬送するシステム情報ブロック（ＳＩＢ）を備える、請求項６に記載の方法。
【請求項９】
前記信号は、前記セル選択基準に関連する追加のパラメータを備える、請求項６に記載の方法。
【請求項１０】
前記パラメータを決定することは、カバレッジ拡張と前記カバレッジ拡張が必要とするネットワークリソースの量との間のトレードオフに基づいて前記パラメータを決定することを備える、請求項６から９のいずれか一項に記載の方法。
【請求項１１】
前記パラメータは、前記無線デバイスが前記セルにアクセスすることを許可するか、または前記無線デバイスが前記セルにアクセスすることを拒否するように前記セル選択基準をシフトするオフセット値である、請求項６から１０のいずれか一項に記載の方法。
【請求項１２】
前記パラメータは、最大許容ＵＥ電力と前記無線デバイスの出力電力の関数を備える、請求項６に記載の方法。
【請求項１３】
前記セルからの前記信号が前記セル選択基準を満たすという決定に応答して、前記セルとの接続を確立するよう求める接続要求を受信することをさらに備える、請求項６から１２のいずれか一項に記載の方法。
【請求項１４】
無線通信ネットワークにおいてセルを選択するための無線デバイスであって、
プロセッサと、前記プロセッサに接続されたメモリとを備え、前記メモリは、実行されるときに前記プロセッサに、
ネットワークノードに関連付けられているセルから信号を受信することと、
前記セルからの前記信号がセル選択基準を満たすかどうかを決定することであって、前記セル選択基準は、前記セル選択基準に対する補償を制御するパラメータに少なくとも部分的に基づいており、前記補償は前記無線デバイスの電力クラスに関連付けられている、決定することと、
前記セルからの前記信号が前記セル選択基準を満たすという決定に応答して前記セルを選択することとを行なわせる命令を備え、
前記補償は、Ｐｃｏｍｐｅｎｓａｔｉｏｎと称され、
Ｐｃｏｍｐｅｎｓａｔｉｏｎ＝ｍａｘ（Ｐ−ｍａｘ−（ＰＰｏｗｅｒＣｌａｓｓ−ＬＰＣ−Ｏｆｆｓｅｔ）、０）を備え、
ここで、Ｐ−ｍａｘはセル内の最大アップリンク送信電力であり、ＰＰｏｗｅｒＣｌａｓｓは前記無線デバイスの電力クラスに従う前記無線デバイスの最大無線周波数（ＲＦ）出力電力であり、ＬＣＰ−ｏｆｆｓｅｔは前記パラメータである、無線デバイス。
【請求項１５】
受信された前記信号は参照信号である、請求項１４に記載の無線デバイス。
【請求項１６】
前記プロセッサは、前記補償を制御する前記パラメータを搬送するシステム情報ブロック（ＳＩＢ）を受信するようにさらに設定されている、請求項１４又は１５に記載の無線デバイス。
【請求項１７】
前記パラメータは、前記無線デバイスが前記セルにアクセスすることを許可するか、または前記無線デバイスが前記セルにアクセスすることを拒否するように前記セル選択基準をシフトするオフセット値である、請求項１４から１６のいずれか一項に記載の無線デバイス。
【請求項１８】
前記パラメータは、最大許容ＵＥ電力と前記無線デバイスの出力電力の関数を備える、請求項１４から１７のいずれか一項に記載の無線デバイス。
【請求項１９】
無線通信ネットワークにおいてセルアクセスを制御するためのネットワークノードであって、
プロセッサと、前記プロセッサに接続されたメモリとを備え、前記メモリは、実行されるときに前記プロセッサに、
セル選択基準に対する補償を制御するパラメータを決定することであって、前記補償は無線デバイスの電力クラスに関連付けられている、決定することと、
前記ネットワークノードが関連付けられているセルに信号を送信することであって、前記信号は決定された前記パラメータを備える、送信することとを行なわせる命令を備え、
前記補償は、Ｐｃｏｍｐｅｎｓａｔｉｏｎと称され、
Ｐｃｏｍｐｅｎｓａｔｉｏｎ＝ｍａｘ（Ｐ−ｍａｘ−（ＰＰｏｗｅｒＣｌａｓｓ−ＬＰＣ−Ｏｆｆｓｅｔ）、０）を備え、
ここで、Ｐ−ｍａｘはセル内の最大アップリンク送信電力であり、ＰＰｏｗｅｒＣｌａｓｓは前記無線デバイスの電力クラスに従う前記無線デバイスの最大無線周波数（ＲＦ）出力電力であり、ＬＣＰ−ｏｆｆｓｅｔは前記パラメータである、ネットワークノード。
【請求項２０】
前記プロセッサは、参照信号を送信するようにさらに設定されている、請求項１９に記載のネットワークノード。
【請求項２１】
前記信号は、決定された前記パラメータを提供するシステム情報ブロック（ＳＩＢ）を備える、請求項２０に記載のネットワークノード。
【請求項２２】
前記信号は、前記セル選択基準に関連する追加のパラメータを備える、請求項２１に記載のネットワークノード。
【請求項２３】
前記プロセッサは、カバレッジ拡張と前記カバレッジ拡張が必要とするネットワークリソースの量との間のトレードオフに基づいて前記パラメータを決定するように設定されている、請求項１９から２２のいずれか一項に記載のネットワークノード。
【請求項２４】
前記パラメータは、前記無線デバイスが前記セルにアクセスすることを許可するか、または前記無線デバイスが前記セルにアクセスすることを拒否するように前記セル選択基準をシフトするオフセット値である、請求項１９から２３のいずれか一項に記載のネットワークノード。
【請求項２５】
前記パラメータは、最大許容ＵＥ電力と前記無線デバイスの出力電力の関数を備える、請求項１９に記載のネットワークノード。
【請求項２６】
前記プロセッサは、前記セルからの前記信号が前記セル選択基準を満たすという決定に応答して、前記セルとの接続を確立するよう求める接続要求を受信するようにさらに設定されている、請求項１９から２５のいずれか一項に記載のネットワークノード。
【国際調査報告】
2019536307.tif 000015
2019536307.tif 000016
2019536307.tif 000017